(57)【要約】【課題】少なくとも１つのヘッド部を有し、必要に応じてヘッド部を増加できるようにした紫外線硬化装置を提供する。【解決手段】親機１に子機２を載置して連結コネクタにより親機１に電気的に接続し、親機１のコネクタ１０１に光源ヘッド５のプラグ５１を差込み、ヘッド部５３からタイマー回路で計時される時間だけ紫外線を照射し、子機２のコネクタ２０１にも光源ヘッドを装着することで、子機２から紫外線の照射を可能にする。子機２，３は必要台数だけ増設可能に設けられる。【選択図】図１
0003129292.tif 000002
【実用新案登録請求の範囲】
【請求項１】
紫外線硬化樹脂に紫外線を照射して硬化するための紫外線硬化装置であって、
親機に対して少なくとも１台の子機が着脱自在で増設可能に設けられ、
前記親機は、
前記複数の子機のうちの少なくとも１台の子機が装着される子機装着部と、
前記子機装着部に設けられ、前記少なくとも１台の子機を電気的に接続するための第１の連結コネクタと、
接続ケーブルを含み、紫外線を発光する発光素子を内蔵する第１のヘッド部と、
前記第１のヘッド部の接続ケーブルを接続するための親機ヘッド部コネクタと、
前記紫外線を照射するための紫外線照射条件を設定し、設定信号を前記第１の連結コネクタに出力する設定手段と、
前記設定手段によって設定された紫外線照射条件で駆動電流を前記親機ヘッド部コネクタに供給するための親機電源手段とを備える、紫外線硬化装置。
【請求項２】
前記少なくとも１台の子機は、
前記第１の連結コネクタに連結される第２の連結コネクタと、
接続ケーブルを含み、紫外線を発光する発光素子を内蔵する第２のヘッド部と、
前記第２のヘッド部の接続ケーブルを接続するための子機ヘッド部コネクタと、
前記第２の連結コネクタを介して与えられる設定信号に応じた駆動電流を前記子機ヘッド部コネクタに出力する子機電源手段とを含む、請求項１に記載の紫外線硬化装置。
【請求項３】
前記少なくとも１台の子機は、
他の子機が装着される子機装着部と、
前記第２の連結コネクタに与えられている設定信号が与えられ、前記他の子機の連結コネクタが接続される第３の連結コネクタを含む、請求項２に記載の紫外線硬化装置。
【請求項４】
子機装着部は、前記複数の子機を個別に装着するための子機装着部を含み、
前記第１の連結コネクタは、前記子機装着部のそれぞれに設けられる、請求項３に記載の紫外線硬化装置。
【請求項５】
前記親機は、前記紫外線を発光する時間を計時して、計時信号を前記紫外線照射条件として設定するためのタイマー手段を含む、請求項１から４のいずれかに記載の紫外線硬化装置。
【考案の詳細な説明】
【技術分野】
【０００１】
この考案は紫外線硬化装置に関し、特に、紫外線発光ダイオード（ＵＶ  ＬＥＤ）を光源として紫外線を照射し、紫外線硬化型の樹脂を硬化させるような紫外線硬化装置に関する。
【背景技術】
【０００２】
携帯電話機などの小型電子機器において、電子部品を接着固定するために紫外線硬化型樹脂が用いられており、紫外線硬化型樹脂を硬化させるために、紫外線硬化装置が用いられている。その様な紫外線硬化装置の一例として、特開２００６−２５６３２２号公報（特許文献１）に記載されている紫外線照射装置がある。
【０００３】
特許文献１に記載された紫外線照射装置は、コントローラ部には半導体素子に駆動電流を供給する電源部を内蔵するとともに、４個のヘッド部を接続するためのコネクタを備え、設定部により各ヘッド部に対して紫外線照射条件を個別に設定し、各ヘッド部から設定された条件で個別に紫外線を照射し、電子部品などを紫外線硬化型樹脂により基板などに接着固定する。
【特許文献１】特開２００６−２５６３２２号公報
【考案の開示】
【考案が解決しようとする課題】
【０００４】
特許文献１に記載されている紫外線照射装置は、４個のヘッド部を有しており、４個のヘッド部から個別にしかも同時に紫外線が照射できるように構成されている。しかし、１台のヘッド部しか使用しないユーザもあれば、４台のヘッド部を使用したいユーザも存在する。４台のヘッド部を使用したいユーザはそのまま使用すれば足りるが、１台のヘッド部しか使用しないユーザにとっては、３台のヘッド部が無駄になり、コスト的にも高いものとなってしまう。
【０００５】
そこで、この考案の目的は、少なくとも１つのヘッド部を有し、必要に応じてヘッド部を増加できるようにして、構成を簡単にしてコストを低減した紫外線硬化装置を提供することである。
【課題を解決するための手段】
【０００６】
この考案は、紫外線硬化型樹脂に紫外線を照射して硬化するための紫外線硬化装置であって、親機に対して少なくとも１台の子機が着脱自在で増設可能に設けられ、親機は、複数の子機のうちの少なくとも１台の子機が装着される子機装着部と、子機装着部に設けられ、少なくとも１台の子機を電気的に接続するための第１の連結コネクタと、接続ケーブルを含み、紫外線を発光する発光素子を内蔵する第１のヘッド部と、第１のヘッド部の接続ケーブルを接続するための親機ヘッド部コネクタと、紫外線を照射するための紫外線照射条件を設定し、設定信号を第１の連結コネクタに出力する設定手段と、設定手段によって設定された紫外線照射条件で駆動電流を親機ヘッド部コネクタに供給するための親機電源手段とを備える。
【０００７】
この考案は、親機に少なくとも１台の子機を着脱自在に増設可能に設け、必要に応じてヘッド部を増加できるようにしたので、構成を簡単にすることで使用する子機を少なくしたいユーザにとってコストを低減できる。
【０００８】
好ましくは、少なくとも１台の子機は、第１の連結コネクタに連結される第２の連結コネクタと、接続ケーブルを含み、紫外線を発光する発光素子を内蔵する第２のヘッド部と、第２のヘッド部の接続ケーブルを接続するための子機ヘッド部コネクタと、第２の連結コネクタを介して与えられる設定信号に応じた駆動電流を子機ヘッド部コネクタに出力する子機電源手段とを含む。
【０００９】
好ましくは、少なくとも１台の子機は、他の子機が装着される子機装着部と、第２の連結コネクタに与えられている設定信号が与えられ、他の子機の連結コネクタが接続される第３の連結コネクタを含む。
【００１０】
好ましくは、子機装着部は、複数の子機を個別に装着するための子機装着部を含み、第１の連結コネクタは、子機装着部のそれぞれに設けられる。
【００１１】
好ましくは、親機は、紫外線を発光する時間を計時して、計時信号を紫外線照射条件として設定するためのタイマー手段を含む。
【考案の効果】
【００１２】
この考案によれば、親機に少なくとも１台の子機を着脱自在に増設可能に設け、必要に応じてヘッド部を増加できるようにし、親機で設定した紫外線を照射するための紫外線照射条件で子機から紫外線を照射できるようにしたので、構成を簡単にすることができ、使用する子機を少なくしたいユーザにとってコストを低減できる。
【考案を実施するための最良の形態】
【００１３】
図１はこの考案の一実施形態における紫外線硬化装置の外観斜視図である。図１において、紫外線硬化装置は、親機１と、親機１に順次積層して増設可能な子機２，３とを含む。子機２，３は必ずしも必要とされるものではなく、１つのヘッド部しか使用しない場合は、親機１のみで足り、２つ以上のヘッド部を使用したいときは子機２，３…を増設すればよいように構成されている。
【００１４】
親機１には、その前面パネル１０に親機ヘッドコネクタとして作動するコネクタ１０１と、点灯確認用ＬＥＤ１０２と、出力調整トリマ１０３と、ＯＮ／ＯＦＦスイッチ１０４と、リモート・マニュアル切換スイッチ１０５と、パワーＯＮ確認用ＬＥＤ１０６と、キースイッチ１０７と、表示器１０８と、タイマーＵＰスイッチ１０９と、タイマーＤＯＷＮスイッチ１１０と、タイマーモード切換スイッチ１１１とが設けられている。
【００１５】
コネクタ１０１には、紫外線を照射するための第１のヘッド部として作動する光源ヘッド５のプラグ５１が接続される。プラグ５１はケーブル５２を介してヘッド部５３が接続されている。点灯確認用ＬＥＤ１０２は光源ヘッド５が点灯していることを確認するために点灯し、緑色ＬＥＤが用いられる。出力調整トリマ１０３は光源ヘッド５から照射される紫外線の光量を調整するために操作される。ＯＮ／ＯＦＦスイッチ１０４は光源ヘッド５から照射される紫外線をＯＮ／ＯＦＦする。リモート・マニュアル切換スイッチ１０５は、リモートモードとマニュアルモードとを切換える。リモートモードは、例えば外部のシーケンサなどから与えられるリモート信号により紫外線を点灯／消灯を制御し、マニュアルモードはＯＮ／ＯＦＦスイッチ１０４をマニュアル操作することにより光源ヘッド５の紫外線を点灯／消灯する。
【００１６】
パワーＯＮ確認用ＬＥＤ１０６は、キースイッチ１０７が操作されて外部からＤＣ２４Ｖの電源が給電されていることを知らせるものであり、赤色ＬＥＤが用いられている。表示器１０８は、紫外線を照射している時間を数値で表示するものであり、例えば７セグメント表示器が用いられる。タイマーＵＰスイッチ１０９とタイマーＤＯＷＮスイッチ１１０はタイマーの計時出力による照射時間を設定する。タイマーモード切換スイッチ１１１はタイマーを使用するか否かを設定する。
【００１７】
子機２は、親機１の上面である子機装着部に載置可能に設けられており、子機２を親機１上に載置するときに図示しない親機１の第１の連結コネクタに子機２の第２の連結コネクタを連結することにより、親機１と子機２とが電気的に接続される。子機２の前面パネル２０には、子機ヘッド部コネクタとして作動するコネクタ２０１と、点灯確認用ＬＥＤ２０２と、出力調整トリマ２０３と、ＯＮ／ＯＦＦスイッチ２０４と、リモート・マニュアル切換スイッチ２０５と、パワーＯＮ確認用ＬＥＤ２０６とが設けられている。なお、図示しないが子機２の背面には、親機１あるいは子機２から紫外線を照射するかを切換えためのマスター／スレーブ切換スイッチが設けられている。子機２の上面である子機装着部に子機３が積層可能に設けられており、子機２の上部に設けられている第３の連結コネクタとして作動するコネクタ２１９に子機３の図示しない連結コネクタを接続することにより親機１に対して、子機２，３が電気的に接続される。
【００１８】
コネクタ２０１と、点灯確認用ＬＥＤ２０２と、出力調整トリマ２０３と、ＯＮ／ＯＦＦスイッチ２０４と、リモート・マニュアル切換スイッチ２０５と、パワーＯＮ確認用ＬＥＤ２０６は、親機１のコネクタ１０１と、点灯確認用ＬＥＤ１０２と、出力調整トリマ１０３と、ＯＮ／ＯＦＦスイッチ１０４と、リモート・マニュアル切換スイッチ１０５と、パワーＯＮ確認用ＬＥＤ１０６とほぼ同じ機能を有している。
【００１９】
図２はこの考案の一実施形態における紫外線硬化装置の電気的構成を示すブロック図である。親機１は、コネクタ１０１と、マニュアル／リモート切換回路１２１と、マニュアルＩ／Ｆ回路１２２と、タイマーモード切換回路１２３と、タイマー回路１２４と、リモートＩ／Ｆ回路１２５と、親機電源手段として作動する定電流制御ドライバ回路１２６と、表示回路１２７と、コネクタ１２８とを含む。
【００２０】
コネクタ１０１は、光源ヘッド５ａのプラグ５１ａを接続するために設けられている。リモート／マニュアル切換回路１２１は、リモート／マニュアル切換スイッチ１０５によりリモートモードに切換えられているときに、外部から与えられるリモート信号を有効化し、マニュアルモードに切換えられているときに、ＯＮ／ＯＦＦスイッチ１０４を有効化する。なお、出力調整トリマ１０３は、リモート時およびマニュアル時ともに有効化されている。
【００２１】
マニュアルＩ／Ｆ回路１２２は、ＯＮ／ＯＦＦスイッチ１０４の出力を定電流制御ドライバ回路１２６に出力し、リモートＩ／Ｆ回路１２５はリモート信号を受けて定電流制御ドライバ回路１２６に出力する。図１に示した出力調整トリマ１０３は設定された出力値が定電流制御ドライバ回路１２６に与えられている。タイマー回路１２４は。タイマーＵＰスイッチ１０９とタイマーＤＯＷＮスイッチ１１０によって設定された紫外線を照射する時間を計時する。なお、タイマー回路１２４は、タイマーモードがＯＮされていればダウンタイマーとして動作し、ＯＦＦにされていればアップタイマーとして動作する。また、タイマー回路１２４は、紫外線照射条件を設定する設定手段として作動する。
【００２２】
定電流制御ドライバ回路１２６は、リモートモードあるいはマニュアルモードで設定された光量で、タイマー回路１２４により計時されている時間だけ光源ヘッド部５ａから紫外線が照射されるように、コネクタ１０１に定電流を供給する。コネクタ１０１には光源ヘッド部５ａのプラグ５１ａが接続される。プラグ５１ａはケーブル５２ａを介してヘッド部５３ａに接続されている。表示回路１２７は、タイマー回路１２４により計時されている時間を表示器１０８に表示するように制御する。
【００２３】
ヘッド部５３ａは、放熱ユニット５４ａと、ＵＶ  ＬＥＤ５５ａと、光学レンズユニット５６ａとを含む。放熱ユニット５４ａはＵＶ  ＬＥＤ５５ａが発熱するので、その熱を放熱するために設けられている。ＵＶ  ＬＥＤ５５ａは定電流制御ドライバ回路１２６により駆動されて紫外線を発光する。ＵＶ  ＬＥＤ５５ａから発光された紫外線は、光学レンズユニット５６ａを介して対象物に照射される。
【００２４】
親機１の連結コネクタ１２８は、子機２の連結コネクタ２１８を介して、親機１と、子機２とを電気的に接続する。
【００２５】
子機２は、子機ヘッド部コネクタとして作動するコネクタ２０１と、リモート／マニュアル切換回路２１１と、マニュアルＩ／Ｆ回路２１２と、マスター／スレーブ切換回路２１３と、リモートＩ／Ｆ回路２１５と、子機電源手段として作動する定電流ドライバ回路２１６と、第２の連結コネクタとして作動する連結コネクタ２１９とを含む。
【００２６】
連結コネクタ２１８は、親機１の連結コネクタ１２８に接続され、親機１からタイマー信号とＤＣ２４Ｖの電源とが供給される。リモート／マニュアル切換回路２１１は、リモート／マニュアル切換スイッチ２０５によりリモートモードに切換えられているときに、外部から与えられるリモート信号を有効化し、マニュアルモードに切換えられているときに、ＯＮ／ＯＦＦスイッチ２０４と出力調整トリマ２０３とを有効化する。
【００２７】
マニュアルＩ／Ｆ回路２１２は、ＯＮ／ＯＦＦスイッチ２０４の出力を定電流制御ドライバ回路２１６に出力し、リモートＩ／Ｆ回路２１５はリモート信号を受けて定電流制御ドライバ回路２１６に出力する。定電流制御ドライバ回路２１６には出力調整トリマ２０３で設定された調整値が与えられている。マスター／スレーブ切換回路２１３は、マスター／スレーブ切換スイッチの切換に応じて、親機１あるいは子機２から紫外線を照射するかを切換える。子機２には、その上に載置される子機３に電気的に接続する連結コネクタ２１９が設けられている。なお、子機２に接続される光源ヘッド５ｂも、親機１に接続される光源ヘッド５ａと同様にして、ヘッド部５３ｂ内に放熱ユニット５４ｂと、ＵＶ  ＬＥＤ５５ｂと、光学レンズユニット５６ｂとを含む。
【００２８】
次に、図１および図２を参照して、この考案の一実施形態における紫外線硬化装置の動作について説明する。まず、親機１のみを使用する場合について説明する。ユーザは親機１のコネクタ１０１に光源ヘッド５ａのプラグ５１ａを差込み、親機１にＤＣ２４Ｖを供給する。ＤＣ２４Ｖが供給されたことにより、パワーＯＮ確認用ＬＥＤ１０６が点灯する。ユーザはマニュアル動作により紫外線を発光させるときには、リモート・マニュアル切換スイッチ１０５によりマニュアルモードに切換え、タイマーＵＰスイッチ１０９またはタイマーＤＯＷＮスイッチ１１０によりタイマー回路１２４に紫外線の照射時間を設定する。タイマー回路１２４はタイマー時間が設定されると、照射時間を表示回路１２７により表示器１０８に表示する。
【００２９】
出力調整トリマ１０３によりＵＶ  ＬＥＤ５５ａの発光量を調整し、ＯＮ／ＯＦＦスイッチ１０４をＯＮさせると、定電流ドライバ回路１２６は、出力調整トリマ１０３の設定値に基づいて、タイマー回路１２３で計時される時間だけＵＶ  ＬＥＤ５５ａに定電流を流して紫外線を発光させる。発光された紫外線は光学レンズユニット５６ａを介して対象物に照射される。
【００３０】
ユーザはリモート動作により紫外線を発光させるときは、図示しないシーケンサーからリモート信号を親機１に与え、リモート・マニュアル切換スイッチ１０５でリモートモードに切換える。リモート信号はリモートＩ／Ｆ回路１２５を介して定電流ドライバ回路１２６に与えられる。定電流ドライバ回路１２６はリモート信号に応じて、タイマー回路１２４で計時されている時間だけ、出力調整トリマ１０３の設定値に基づいて、ＵＶ  ＬＥＤ５５ａに定電流を供給して紫外線を発光させる。
【００３１】
ユーザは親機１と、子機２との２系統で紫外線を発光させたいときには、親機１の上に子機２を載置する。このとき、親機１の連結コネクタ１２８と、子機２の連結コネクタ２１８が連結されるので、タイマー回路１２４による計時信号とＤＣ２４Ｖの電源は親機１から子機２に供給される。子機２では、親機１の説明と同様にしてマニュアル動作あるいはリモート動作により、光源ヘッド５３ｂのＵＶ  ＬＥＤ５５ｂから紫外線を照射させることができる。ユーザは、さらに、親機１と、子機２，３との３系統で紫外線を発光させたいときには、子機２の上に子機３を載置し、子機２の連結コネクタ２１９に子機３の図示しない連結コネクタを連結させる。子機３にも親機１から子機２を介してタイマー回路１２４の計時信号とＤＣ２４Ｖが供給されるので、子機３に光源ヘッドを接続することにより、親機１と子機２とは別に個別に紫外線を照射することができる。
【００３２】
図３はこの考案の他の実施形態における紫外線硬化装置の外観斜視図である。図３において、筐体４０は箱型形状に形成されており、下部に親機１が収納されている。親機１には、図１に示したものと同様に、コネクタ１０１と、点灯確認用ＬＥＤ１０２と、出力調整トリマ１０３と、ＯＮ／ＯＦＦスイッチ１０４と、リモート・マニュアル切換スイッチ１０５と、パワーＯＮ確認用ＬＥＤ１０６と、キースイッチ１０７と、表示器１０８と、タイマーＵＰスイッチ１０９と、タイマーＤＯＷＮスイッチ１１０と、タイマーモード切換スイッチ１１１とが設けられている。
【００３３】
親機１上のスペースは凹部になっていて、例えば４台の子機を装着するための子機装着部４１〜４４が設けられており、各子機装着部４１〜４４の奥側の壁面には、親機１と、各子機とを電気的に接続するための第２の連結コネクタとして作動する連結コネクタ５１〜５４が設けられている。各連結コネクタ５１〜５４は並列的に親機１に接続されており、親機１からタイマー回路１２４の計時信号とＤＣ２４Ｖとが与えられている。
【００３４】
この実施形態においても、親機１のコネクタ１０１に光源ヘッド５ａのプラグ５１を差込むことにより光学ヘッド５ａから紫外線を照射することができ、必要に応じて必要な数の子機２，３…を筐体４０の装着部４１〜４４に装着することにより、必要な数の光源ヘッド５ｂ…から紫外線を照射することができる。
【００３５】
以上、図面を参照してこの考案の実施形態を説明したが、この考案は、図示した実施形態のものに限定されない。図示された実施形態に対して、この考案と同一の範囲内において、あるいは均等の範囲内において、種々の修正や変形を加えることが可能である。
【産業上の利用可能性】
【００３６】
この考案の紫外線硬化装置は、親機と複数の子機とに接続された各ヘッド部から紫外線を照射して紫外線硬化樹脂を硬化させて電子部品を基板に固着させる用途に利用できる。
【図面の簡単な説明】
【００３７】
【図１】この考案の一実施形態における紫外線硬化装置の外観斜視図である。
【図２】この考案の一実施形態における紫外線硬化装置の電気的構成を示すブロック図である。
【図３】この考案の他の実施形態における紫外線硬化装置の外観斜視図である。
【符号の説明】
【００３８】
１親機、２，３  子機、５，５ａ，５ｂ  光源ヘッド、５１，５１ａ，５１ｂ  プラグ、５３ａ，５３ｂ  ヘッド部、５４ａ，５４ｂ  放熱ユニット、５５ａ，５５ｂ  ＵＶ  ＬＥＤ、５６ａ，５６ｂ  光学レンズユニット、１０１，２０１  コネクタ、１０２，２０２  点灯確認用ＬＥＤ、１０３，２０３  出力調整トリマ、１０４，２０４  ＯＮ／ＯＦＦスイッチ、１０５，２０５  リモート・マニュアル切換スイッチ、１０６，２０６  パワーＯＮ確認用ＬＥＤ、１０７  キースイッチ、１０８  表示器、１０９  タイマーＵＰスイッチ、１１０  タイマーＤＯＷＮスイッチ、１１１  タイマーモードスイッチ、１２１，２１１  リモート／マニュアル切換回路、１２２，２１２  マニュアルＩ／Ｆ回路、１２３  タイマーモード切換回路、１２４  タイマー回路、１２５，２１５  リモートＩ／Ｆ回路、１２６，２１６  定電流制御ドライバ回路、１２７  表示回路、１２８，２１８，２１９  連結コネクタ、２１３  マスター／スレーブ切換回路。
【図１】
0003129292.tif 000003
【図２】
0003129292.tif 000004
【図３】
0003129292.tif 000005